(57)【特許請求の範囲】
【請求項１】
一直線のニードルバー（１）と、
前記ニードルバーに互いに並列に並べられて挟持される複数の編み工具（２、３）とを含む縦編み機であって、
前記編み工具（２）は、
二つの側部表面（１１、１２）を有し、前記ニードルバー（１）に固定的に支持されるように構成される軸（４）であって、前記編み工具（２）が前記ニードルバー（１）に取り付けられる時に、前記ニードルバー（１）内の第１の軸部分（５）により前記軸（４）が保持され、第２の軸部分（６）が前記ニードルバー（１）から突出している、前記軸（４）と、
前記軸（４）に形成された作動部分（１０）と、
前記編み工具（２）の前記軸（４）に保持され、前記編み工具（２）の少なくとも一つの側部表面（１１）を越えて突出する、少なくとも一つのプラスチック本体（１５）と、
を備え、
前記プラスチック本体（１５）は、前記軸（４）に係止され、隣接する編み工具（３）と接触するように構成される接触面（１６）を含み、かつ互いに隣接する前記編み工具（２、３）の間で必要とされる水平距離に相当する量だけ、前記編み工具（２）の前記側部表面（１１）を越えて張り出す、
縦編み機。
【請求項２】
前記プラスチック本体（１５）が前記軸（４）に一体に成形された射出成形品である、請求項１に記載の縦編み機。
【請求項３】
前記プラスチック本体（１５）が前記軸（４）に固定された構成で係止される、請求項１に記載の縦編み機。
【請求項４】
前記プラスチック本体（１５）が前記軸（４）に接着される、請求項１に記載の縦編み機。
【請求項５】
前記軸（４）が、一端が係止装置（２３、２３’）と協働すると共に前記側部表面（１１、１２）に隣接している、少なくとも一つの開口（２２）を含む、請求項１に記載の縦編み機。
【請求項６】
前記係止装置（２３、２３’）が前記側部表面（１１、１２）から離間配置される底部（２５）を含む、請求項５に記載の縦編み機。
【請求項７】
前記底部（２５）と前記側部表面（１１、１２）の間の距離が、前記開口（２２）の中心（２４）から前記底部（２５）の鍔部（２６）に向かって変化する、請求項６に記載の縦編み機。
【請求項８】
前記底部（２５）と前記側部表面（１１、１２）の間の距離が増加変化する、請求項７に記載の縦編み機。
【請求項９】
前記プラスチック本体（１５）が前記軸（４）の前記二つの側部表面（１１、１２）の一つのみを越えて突出する、請求項１に記載の縦編み機。
【請求項１０】
前記プラスチック本体（１５）が前記側部表面（１１）に沿って張り出す部分を含む、請求項９に記載の縦編み機。
【請求項１１】
前記プラスチック本体（１５）が前記第２の軸部分（６）に少なくとも部分的に配置さる、請求項１に記載の縦編み機。
【請求項１２】
前記プラスチック本体（１５）が前記第２の軸部分（６）のみに配置される、請求項１に記載の縦編み機。
【請求項１３】
前記軸（４）が、少なくとも一つ以上のプラスチック本体（１５）を係止するために使用される、一つ以上の開口（２２）を含む、請求項１に記載の縦編み機。
【発明の詳細な説明】
【技術分野】
【０００１】
本発明は、ニードルバーと、ニードルバーに固定式または可動式に支持される編み工具とを有する縦編み機に関する。
【背景技術】
【０００２】
編み機（縦編み機（ｗａｒｐ  ｋｎｉｔｔｉｎｇ  ｍａｃｈｉｎｅ））は、それぞれがスライダ針（ｓｌｉｄｅｒ  ｎｅｅｄｌｅ）またはタング針（ｔｏｎｇｕｅ  ｎｅｅｄｌｅ）などの多数の編み工具を備えた一つ以上のバーを含む。「編み工具」とは、経編機用工具も含まれる。この編み工具は互いに並列に一直線にならべられ、ニードルバーに挟持される。これらの編み工具は、ニードルバーと同じ動作を行う。
【０００３】
ニードルバーにおいては、それぞれの編み工具は所定位置に固定されなければならない。各編み工具が所定位置に固定されたままの状態にするためには、個々の編み工具が差し込まれる、例えば、スロットまたは溝の形態のバーにそれぞれの位置決め手段が設けられる。次に、編み工具はそれぞれの溝内で挟持される。
【０００４】
ニードルバーに配置される編み工具の数は、製造される編み物の材料、特に、その編目密度（ｓｔｉｔｃｈ ｄｅｎｓｉｔｙ）によって決定される。最も極細編み物のニットウエアは、現在Ｅ４４の糸番手（ｙａｒｎ  ｃｏｕｎｔ）の編み機で製造されている。これは、１インチ（２５．４ｍｍ）当たり４４本の編み工具または編み針を要する。このピッチは０．５７７３ｍｍである。ピッチは一つの編み工具から他の編み工具までの間隔を画定する。Ｅ４４のピッチのための編み工具の厚みは０．４４ｍｍである。編み工具間のバーの厚みは０．１６ｍｍである。例えば、Ｅ４０で粗いピッチを有するニットウエアを製造する場合は、より厚い編み工具、より幅の広いバーが必要とされる。つまり、ピッチごとに、個々の厚みの編み工具と厚みのバーが必要とされる。よって、ピッチごとに、個々の編み工具とニードルバーを作成することが要求される。
【０００５】
編み工具はバーからある距離にわたって延出し、材料の特性により所定の可撓性を有する。
【０００６】
編み工具の事前にまたは永久的に発生した屈曲がある場合は、これによってニットウエアに筋が入ったり、欠陥が生じたりする。
【０００７】
このため、編み工具の正確な位置決めとニードルバーから離れて伸びる軸の十分な支持は、製造されるニットウエアの品質にとって非常に重要である。
【０００８】
編み機用の編み工具としてはプラスチックインレー（ｐｌａｓｔｉｃ  ｉｎｌａｙ）を含むものが知られている。例えば、特許文献１と特許文献２に開示されている編み針は、プラスチックまたは吸振材料が充填された開口を含む軸を有する。
【０００９】
従って、開口内に配置されたプラスチック本体は、編み工具の側部表面と同じ平面において成端する。
【００１０】
更に、特許文献３には、タング針として構成された軽量の編み物用編み針が開示されている。この編み針の軸には、軸の側部表面を越えて突出するプラスチック製のスライダ本体が設けられている。このプラスチック製スライダ本体は、振動を吸収し、壁面摺動することによって針経路内で編み針を保持する。
【特許文献１】独国特許発明第４４４２９４３Ｃ１号
【特許文献２】独国特許発明第３３１４８０９号
【特許文献３】特開昭５７−９４３３号
【発明の開示】
【発明が解決しようとする課題】
【００１１】
従って、本発明の目的は、上記課題を解決し、バーにおける編み工具が極めて安定して正確に支持されることを容易にする編み針を提供することにある。
【課題を解決するための手段】
【００１２】
本発明の目的は、請求項１に記載の縦編み機によって達成される。
【００１３】
本発明による縦編み機における編み工具は、バーに固定的に支持されるように構成された軸（シャフト）を備える。従って、第１の軸部分はバー内に保持され、第２の軸部分はバーから突出している。少なくとも一つのプラスチック本体は、バーに保持され、編み工具の側部表面の少なくとも一つを越えて突出している。好ましくは、プラスチック本体は、軸の少なくとも一つ以上の開口に係止される。
【００１４】
プラスチック本体は、振動吸収と補強目的に使用され得る。その好ましい実施の形態において、プラスチック本体は、例えば、隣接する編み工具の相互支持を容易にすることによって編み工具の位置決めを支持する。このため、プラスチック本体は、隣接する編み工具を互いに支持する支持手段を形成する。従って、プラスチック本体は、一側面において編み工具の側部表面を越えて突出し、隣接する編み工具の側部表面に接触する。これによって、軸の一時的な可撓性の屈曲、軸の残存する変形、または振動による位置決め不良の大部分を回避することができる。
【００１５】
プラスチック本体が軸の側部表面の一方の側面のみから張り出す場合、編み工具は、平面図において非対称形である。しかしながら、編み工具の両側部表面を越えてプラスチック本体を突出させることも可能であり、この場合、編み工具の平面図は対称形となる。ここで、隣接する編み針のプラスチック本体が互いに接触する（プラスチック・オン・プラスチック）。
【００１６】
好ましくは、編み工具の側部方面を越えたプラスチック本体の張出し（ｏｖｅｒｈａｎｇ）は、隣接する編み工具間に必要とされる水平距離に相当し、これによって、編み針間に配置されたニードルバーのバー（間）の厚みに相当する。プラスチック本体の張出しは、ピッチに合わせて配置された隣接する二本の編み工具間のニードルバーの外側の間隙を埋める。
【００１７】
好ましくは、プラスチック本体は、バーから突出している軸部分に配置される。しかしながら、必要であれば、バー内に配置された軸部分において全体的に配置されてもよいし、部分的に配置されてもよい。バーの外側に配置された軸部分にプラスチック本体を配置することによって、編み工具を夫々の作動部分（作動部分の位置決めが改良されたフック（鉤部）など）の近接位置において編み工具を互いに支持することができる。
【００１８】
ニードルバーの外側において隣接する二本の編み工具の間隙を架橋するためにプラスチック本体を使用することによって、より細い糸番手用に提供される編み工具を粗い糸番手用に使用することが可能となる。これによって、編み工具を含むニードルバーのシステム全体の軽量化が容易となる。
【００１９】
プラスチック本体の軸への係止は固定された構成が好ましい。これは、軸が、プラスチック本体が入り込む一つ以上の開口を含むことで可能となる。プラスチック本体は、別個に製造して、その後、軸に取り付けられてもよい。しかしながら、プラスチック本体を軸に直接成形することが好ましく、この場合、プラスチック本体は、例えば、シャフトの開口を介して入り込む一つ以上の張出部を含む。このための開口としては、例えば、プラスチック本体を軸に固定された構成で係止するために、プラスチック本体から離間してプラスチック本体に対向する鍔部（ｒｉｍ）に張出部を備えることもできる。この張出部は、例えば、漏斗または同様の構造のような円錐形の凹部の形態で形成され得る。従って、凹部は、プラスチック本体が入り込む開口に対して、鈍角または鋭角のいずれかを選択的に形成し得る。凹部の配置および寸法は、プラスチック本体が編み工具に確実に係止されるように選択され得る。プラスチック本体を取り付けるために軸が複数の開口を有する場合、個々の開口の凹部は、異なる形状および寸法を有していてもよい。
【００２０】
本発明の更に詳細な好ましい実施の形態は、図面、明細書または請求の範囲によって提供される。この明細書においての記載は、本発明の実質的な態様および他の条件に制約されるが、図面は、本発明の更なる詳細を開示しているが、補足的に使用されていることが理解されよう。
【発明を実施するための最良の形態】
【００２１】
図１にはバー１が示されている。バー１は、詳細に図示されていないが、編み機に含まれる。バーは、その全長にわたって分配される編み針２、３などの多数の編み工具を支える。二本の編み針２、３は、バー１の全長にわたって拡がる編み針のうちの一組を示す。
【００２２】
好ましくは、編み針２、３は、互いが完全一致するように形成される。このような編み針２は、図２〜図６において、個別に示されている。編み針２は、バー内部で保持された第１の部分５とバーから外へ延出している第２の部分６とを有する軸４を示す。第１の部分５では、バー１に編み針２を位置決めするための一つ以上のベース７、８、および９が形成されている。軸４の端部には、例えば、フック（鉤部）１０の形態の作動部が配置されている。図７に特に明確に示されているように、軸４は、二つの並列で、好ましくは平らな側部表面１１および１２と、狭い帯状の上部表面１３と下部表面１４を含み、その断面は矩形である。側部表面１１と側部表面１２の間の距離は、編み針としての軸４の厚みを画定する。
【００２３】
図３に詳細に示されているように、実施の形態において、側部表面１１および１２のうちの一方の側部表面１１は、側部表面１１に平行であり、好ましくは、平らな側面１６を含む、プラスチック本体１５を具備している。好ましくは、平らな側面１６は、側部表面１１に平行に配向されている。平らな側面１６は、平らな連続面であってもよい。必要であれば、平らな側面１６は、一つ以上の凹み（ｒｅｃｅｓｓ）、遮断部（ｉｎｔｅｒｒｕｐｔｉｏｎ）、刻み目（ｉｎｄｅｎｔａｔｉｏｎ）などを含んでいてもよい。側部表面１１から平らな側面１６までの距離は、軸４の平らな側面を越えて突出するプラスチック本体１５の厚みの部分に等しい。このように形成されたプラスチック本体１５の張出部の厚みは、隣接する編み針２、３の厚みに相当し、編み工具のピッチや厚みによって決定され、選択される。編み針２のプラスチック本体は、その平らな側面１６（プラスチックと金属の接触部）において、編み針３の側部表面１２と接触する。更に好ましくは、プラスチック本体１５は、バー１の外側に配置された軸４の部分６において鉤部１０に近接して配置されている。このように、プラスチック本体１５は、バー１の外側の鉤部１０に近接した位置において、編み針を互いに支えることができる。
【００２４】
例えば、プラスチック本体１５は、側面からみると角丸の略矩形である。プラスチック本体１５は、図４〜図６に示されている、軸４における張出部１７、１８、１９、２０および２１によって支持されている。上記の張出部は、軸４の横切って延びる夫々の開口を介して張り出している。図７において、プラスチック本体１５の張出部１９を受容するために使用される開口２２が例として示されている。開口２２は、例えば、側部表面１１および１２に対して垂直に配向されるボアホール（ｂｏｒｅ  ｈｏｌｅ）である。また、ボアホールは、側部表面１１または１２内で端部２７および２８が移り変わる。従って、少なくとも一つの端部２６は、係止手段２３を含む。特に、図５および図６に示されているように、好ましくは、プラスチック本体１５は、軸４の一方の側面に取り付けられている。従って、プラスチック本体１５は、側部表面１１の一部に広がるプレート状の部分を含む。側部表面１１の反対側の側部表面１２において、開口２２は、係止装置２３を介して成端し、係止装置２３は、軸４においてプラスチック本体１５を固定された構成で固着するために提供される。係止装置２３は、例えば、開口２２が漏斗形に拡がることによって形成され得る。
【００２５】
図８は、他の係止装置２３’を示す。係止装置２３’の底部２５は、その理論的中心２４を基準にして側部表面１２に向かって傾斜するように配置された平らな基面を含む。底面２５から軸４の側部表面１２までの距離は、中心２４から始まって底面２５の鍔部２６に向かって増大する。底面２５は、側部表面１２に対して鋭角に配置されている。自由空間は、底面２５の特定の配置によって作られ、この場合、プラスチック本体１５は自由空間内に極めて確実に係止され得る。他の実施の形態（図６）において、底面２５は、側部表面１２に相対して鈍角で配置され得る。
【００２６】
好ましくは、プラスチック本体１５は軸４に直接成形される。これは、軸４が挿入されるような射出成形において実行され得る。好ましくは、プラスチックは、張出部１７〜２１を受け取るために使用される開口の少なくとも一つを介して鋳型内へ注入される。こうして作成されるゲートは、開口２２などの開口内に配置され得る。プラスチックは、鋳型に充填され、これによって、側部表面１１においてプレート状の断面を形成する。更に、プラスチックは開口と張出部に充填される。これによって、プラスチック本体１５は、軸４に接着され、連結される。
【００２７】
編み工具の図示された実施の形態によれば、多くの変形が可能であり、例えば、鉤部１０の代わりに他の作動部分を設けることもできる。軸４は、図示された形状から外れた異なる形状を有していてもよい。さらに、プラスチック本体１５の他に、同じ側部表面１１または反対側の側部表面１２において、一つ以上の更なるプラスチック本体を設けることもできる。また、プラスチック本体１５を取り付けるために軸４に設けられる開口の形状、寸法、数と同様、プラスチック本体１５の形状を変更することもできる。しかしながら、プラスチック本体１５が隣接する編み針２、３または他の編み工具を水平支持するために使用され得ることは、全ての実施の形態において共通である。
【００２８】
編み機用のバー１のための編み針は、少なくとも一方の側面においてプラスチック本体１５に接続された軸４を含み、プラスチック本体が軸の側部表面１１を越えて突出する。プラスチック本体１５は、隣接する編み工具の側部表面と接触する。これによって、関連する編み工具が共に互いに支え合う。
【図面の簡単な説明】
【００２９】
【図１】一組の編み針を有するバーを示す斜視図である。
【図２】図１のバーの編み針のうちの一本を示す側面図である。
【図３】図２の編み針を他の寸法（縮尺ではない）で示す斜視図である。
【図４】図２の編み針を他の寸法で示す側面図である。
【図５】図４の編み針をＶ−Ｖ線に沿って切断した図である。
【図６】図４の編み針をＶＩ−ＶＩ線に沿って切断した図である。
【図７】図６と同様に切断された図４の編み針の軸を他の寸法（縮尺ではない）で、プラスチック本体を略して示す図である。
【図８】プラスチック本体の代替の取付手段を有するＶＩ−ＶＩ線に沿って切断された図４の編み針を、プラスチック本体を略して示す図である。
【符号の説明】
【００３０】
１          バー
２、３      編み工具
４          軸
５          第１の部分
６          第２の部分
７、８、９  ベース
１０        作動部（鍔部）
１１、１２  側部表面
１３、１４  狭い表面
１５        プラスチック本体
１６        平らな側面
１７〜２１  張出部
２２        開口
２３        係止装置
２４        中心
２５        底部、底面
２６        鍔部
２７、２８  端部
【図１】
0004829283.tif 000002
【図２】
0004829283.tif 000003
【図３】
0004829283.tif 000004
【図４】
0004829283.tif 000005
【図５】
0004829283.tif 000006
【図６】
0004829283.tif 000007
【図７】
0004829283.tif 000008
【図８】
0004829283.tif 000009